(57)【要約】      （修正有）【課題】物品収納ケースの重量が大きい場合、また、上下幅が広い場合にも、物品収納ケースを安定して壁面等に取り付けることができる物品収納ケースの取付け具を提供する。【解決手段】物品収納ケース１２に係止され、物品収納ケース１２の被取付け面への取り付けに使用される物品収納ケース１２の取付け具１であって、直線部及び曲線部を有する略レーストラック形状のベース部３を備え、直線部の両端をその直線方向に夫々延長して物品収納ケース１２の係止孔１４に差し込み係止される差込み係止部７を形成するとともに、差込み係止部７の基部に物品収納ケース１２の係止孔１４に取付け具１が差し込み係止される際に係止孔１４に位置決めされた状態に係止する段部を設ける一方、曲線部の裏面が前記取付け具１の係止時に物品収納ケース１２の外面に当接する物品収納ケース１２の取付け具。【選択図】図４
0003189029.tif 000002
【実用新案登録請求の範囲】
【請求項１】
物品収納ケースに係止され、物品収納ケースの被取付け面への取り付けに使用される物品収納ケースの取付け具であって、
直線部及び曲線部を有する略レーストラック形状のベース部を備え、前記直線部の両端をその直線方向に夫々延長して、前記物品収納ケースの係止孔に差し込み係止される差込み係止部を形成するとともに、当該差込み係止部の基部に前記物品収納ケースの係止孔に前記取付け具が差し込み係止される際に前記係止孔に位置決めされた状態に係止する段部を設ける一方、
前記曲線部の裏面が前記取付け具の係止時に前記物品収納ケースの外面に当接することを特徴とする物品収納ケースの取付け具。
【考案の詳細な説明】
【技術分野】
【０００１】
この考案はティッシュケースやラップケース等の物品収納ケースの取付け具に関する。
【背景技術】
【０００２】
ティシュケース等はティッシュの使用場所に近い壁面等に取り付けられることで便利に使用される。その取り付けは、例えば、ティシュケースの底面部の外面に取付け具が装着され、その取付け具が壁面等に適宜の取り付け構造により取り付けられることで行われる。上記取付け具としては、バー形態で両端に差込み係止部を備え、その差込み係止部がティッシュケース等の底面部に設けられた係止孔それぞれに係止されて装着されるものが提供されている。（特許文献１）。また、ラップフィルムの巻回体の収納ケースの場合にも、やはり、バー形態の取付け具が使用されている。
【先行技術文献】
【特許文献】
【０００３】
【特許文献１】特開２００２−３６９７６７号
【考案の概要】
【考案が解決しようとする課題】
【０００４】
上記のティッシュケースやラップケースはその収納品の形態等に対応して外形や重量も種々異なり、上記のバー形態の取付け具ではその取り付けが安定して行われない問題があった。
【課題を解決するための手段】
【０００５】
この考案は上記の事情に鑑みて行ったもので、上下幅が広い、重量が大きい等の種々の物品収納ケースを安定して取り付けることができる物品収納ケースの取付け具を提供することを目的とする。
【０００６】
この考案は、物品収納ケースに係止され、物品収納ケースの被取付け面への取り付けに使用される物品収納ケースの取付け具であって、直線部及び曲線部を有する略レーストラック形状のベース部を備え、前記直線部の両端をその直線方向に夫々延長して、前記物品収納ケースの係止孔に差し込み係止される差込み係止部を形成するとともに、当該差込み係止部の基部に前記物品収納ケースの係止孔に前記取付け具が差し込み係止される際に前記係止孔に位置決めされた状態に係止する段部を設ける一方、前記曲線部の裏面が前記取付け具の係止時に前記物品収納ケースの外面に当接することを特徴とする物品収納ケースの取付け具を提供する。
以下、「物品収納ケースの取付け具」を「取付け具」と略称する。
【０００７】
上記構成の取付け具は、ベース部が略レーストラック形状であって上下幅が広く、その両側の上下に側方に突出して位置する４個の差込み係止部で物品収納ケースを係止するので、物品収納ケースの重量が大きい場合、また、底面部の上下幅が広い場合にもバランスよく安定して取付け具に支持される。さらに、差込み係止部の係止段部が係止孔に位置決めさる状態に係止することで、物品収納ケースは位置ずれすることなく支持される。くわえて、ベース部が曲線部を有することで両側部に外側へ円弧状に突出する湾曲突出部を備えているので、その分ベース部の内面が横方向に長く、かつ、広い面積で物品収納ケース面に当接する。また、湾曲突出部の先端部の内面が物品収納ケース面に当接して差込み係止部との間に物品収納ケースの差し込み面部を挟む状態となる。これにより物品収納ケースはより安定して取付け具に取り付けられる。
【０００８】
取付け具は塩化ビニール樹脂やＡＢＳ樹脂、さらに、金属材などの適宜の材料によって形成される。取付け具の壁面等への取り付け構造は、マグネットや粘着層等の適宜の構造が採用される。
【考案の効果】
【０００９】
この考案の取付け具を使用することで、上下幅が広い、重量が大きい等の種々の物品収納ケースを、壁面等に安定して取り付けることができるようになる。
【図面の簡単な説明】
【００１０】
【図１】この考案の取付け具の実施形態の表面側斜視図を示す。
【図２】この考案の取付け具の実施形態の裏面側斜視図を示す。
【図３】この考案の取付け具の実施形態の表面側正面図を示す。
【図４】この考案の取付け具の実施形態の使用説明図を示す。
【図５】この考案の取付け具の実施形態の使用説明図を示す。
【考案を実施するための形態】
【００１１】
図１はこの考案の物品収納ケースの取付け具の実施形態の表面側斜視図、図２は同裏面側斜視図、図３は同表面側正面図である。取付け具１は、樹脂製のベース部３の表面側にマグネットシート５が埋設固定されて取り付けられている。ベース部３は縦寸法Ｌ１を４５ｍｍ、横寸法Ｌ２を８２ｍｍとし、全体が直線部及び曲線部を有する略レーストラック形状となっている。ベース部３の両側部の上部と下部とから側方に突出するように合計４個の差込み係止部７のそれぞれが一体に設けられている。それら差込み係止部７の基部には係止段部６が設けられている。さらに、ベース部３の両側部には、その上下端部を上部と下部の差込み係止部７それぞれの基部に連続する湾曲突出部９のそれぞれが一体に設けられている。湾曲突出部９は上部と下部の差込み係止部７間において、外側へ円弧状に突出して位置する。
【００１２】
図４、図５は取付け具１の使用状態を示す。取付け具１は、底面部１５の縦寸法Ｌ３が１２０ｍｍ、横寸法Ｌ４が１３０ｍｍである方形のティッシュケース１２の底面部１５の外面中央に装着使用されている。ティッシュケース１２の底面部１５の係止孔１４それぞれに差込み係止部７のそれぞれが差し込み係止され、ベース部３の内面４がケース１２の底面部１５の外面に当接する状態に装着される。このように取付け具１が装着されたティッシュケース１２は、取付け具１のマグネットシート５が吸着されることで、金属製の壁面や扉面、また、冷蔵庫ドア面等に取り付けられて使用される。
【００１３】
上記取付け具１の使用状態において、ティッシュケース１２は底面部１５の縦寸法Ｌ３が１２０ｍｍと大きいが、取付け具１のベース部３が面状形態で縦寸法Ｌ１が４５ｍｍと大きく、その両側の上下に位置する４個の差込み係止部７で係止されるので、ティッシュケース１２は取付け具１にバランスよく安定支持される。さらに、差込み係止部７の係止段部６が係止孔１４に位置決めされる状態に係止することで、ティッシュケース１２は横ずれすることなく支持される。くわえて、ベース部３が両側部に外側へ円弧状に突出する湾曲突出部９を備えているので、その分ベース部３の内面４が横方向に長く、かつ、広い面積でティッシュケース１２の底面部１５の外面に当接し、これによりティッシュケース１２はより安定して取付け具１に取り付けられる。くわえて、湾曲突出部９の先端部の内面４ａがティッシュケース１２の底面部１５の外面に当接して差込み係止部７とでティッシュケース１２の底面部１５を挟む状態となり、これによりティッシュケース１２はより安定して取付け具１に取り付けられる。このようにして、底面部１５の縦寸法Ｌ３が１２０ｍｍと大きいティッシュケース１２が、取付け具１によって壁面や扉面、また、冷蔵庫ドア面等に安定して取り付けられる。
【符号の説明】
【００１４】
１    取付け具
３    ベース部
６    係止段部
７    差込み係止部
９    湾曲突出部
１２  ティッシュケース（物品収納ケース）
１４  係止孔
【図１】
0003189029.tif 000003
【図２】
0003189029.tif 000004
【図３】
0003189029.tif 000005
【図４】
0003189029.tif 000006
【図５】
0003189029.tif 000007